(57)【要約】【課題】  音声情報の記録及び再生を可能としながらも、表面に対する情報の書き換えによって内部の回路基板等の部材が破壊されてしまうことを防止する。【解決手段】  音声情報を記録、再生可能な音声情報記録／再生部３０が表面シート１０ａ，１０ｂ及び支持シート２０ａ，２０ｂに挟み込まれてなる音声メッセージ伝達シート１において、表面シート１０ａに情報を記入するために設けられた情報記入領域５上に高分子素材からなる樹脂層６を設ける。【選択図】図１
2006130681.tif 000002
【特許請求の範囲】
【請求項１】
音声情報を記録、再生可能な音声情報記録／再生手段が２枚のシート基材に挟み込まれてなる音声メッセージ伝達シートであって、
前記音声情報記録／再生手段はシート状に構成され、
前記シート基材は、情報を記入するための情報記入領域を有し、少なくとも前記情報記入領域に高分子素材が付与されている音声メッセージ伝達シート。
【請求項２】
請求項１に記載の音声メッセージ伝達シートにおいて、
前記音声情報記録／再生手段は、
柔軟性を具備し、記録された音声情報が出力されるスピーカと、
前記スピーカの周囲に設けられた振動板とを有し、
前記シート基材は、前記スピーカに対向する領域に複数の微細な開口穴が形成され、該開口穴が形成されている領域には前記高分子素材が付与されていないことを特徴とする音声メッセージ伝達シート。
【請求項３】
請求項２に記載の音声メッセージ伝達シートにおいて、
前記シート基材は、前記振動板に対向する領域には前記高分子素材が付与されていないことを特徴とする音声メッセージ伝達シート。
【発明の詳細な説明】
【技術分野】
【０００１】
本発明は、音声情報の記録及び再生が可能な音声メッセージ伝達シートに関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００５】
そこで、音声情報の記録及び再生が可能に構成された音声記憶機能付カードが考えられている（例えば、特許文献１参照。）。この音声記憶機能付カードは、音声情報を入力するためのマイクロフォンと、マイクロフォンを介して入力された音声情報を記憶する記憶部及び制御部を含む回路素子が搭載された回路基板と、記憶部に記憶された音声情報を出力するためのスピーカとがカード基材にそれぞれ挟み込まれており、このカード基材に設けられた録音ボタンが押下されることにより音声情報が記録され、また、カード基材に設けられた再生ボタンが押下されることにより音声情報が再生されることになる。
【特許文献１】特公平３−４５４３３号公報
【発明の開示】
【発明が解決しようとする課題】
【０００６】
上述したように回路基板やスピーカ、マイクロフォン等の部材がカード基材に挟み込まれているものにおいては、上述したように音声情報を伝達することができるとともに、カード基材の表面に情報を予め印字しておけば、視覚によっても情報を伝達することができる。また、伝達したい情報をカード基材に鉛筆等によって書き込むことにより、その後、書き込まれた情報を消去して書き換えることもできる。
【０００７】
しかしながら、カード基材の表面への情報の書き換えが頻繁に行われた場合、カード基材の表面が脆くなり、カード基材に穴が開いてしまったりして、回路基板やスピーカ、マイクロフォン等の部材が破壊されてしまう虞れがある。また、カード基材の表面に記載された情報を消しゴムによって消去する場合においても、カード基材の表面に強い圧力が加わることになり、回路基板やスピーカ、マイクロフォン等の部材が破壊されてしまう虞れがある。特に、カード基材を薄型のものから構成した場合、カード基材に穴が開きやすく、また、カード基材を介して回路基板やスピーカ、マイクロフォン等の部材に強い圧力がかかってしまう。
【０００８】
本発明は、上述したような従来の技術が有する問題点に鑑みてなされたものであって、音声情報の記録及び再生を可能としながらも、表面に対する情報の書き換えによって内部の回路基板等の部材が破壊されてしまうことを防止することができる音声メッセージ伝達シートを提供することを目的とする。
【課題を解決するための手段】
【０００９】
上記目的を達成するために本発明は、
音声情報を記録、再生可能な音声情報記録／再生手段が２枚のシート基材に挟み込まれてなる音声メッセージ伝達シートであって、
前記音声情報記録／再生手段はシート状に構成され、
前記シート基材は、情報を記入するための情報記入領域を有し、少なくとも前記情報記入領域に高分子素材が付与されている。
【００１０】
また、前記音声情報記録／再生手段は、
柔軟性を具備し、記録された音声情報が出力されるスピーカと、
前記スピーカの周囲に設けられた振動板とを有し、
前記シート基材は、前記スピーカに対向する領域に複数の微細な開口穴が形成され、該開口穴が形成されている領域には前記高分子素材が付与されていないことを特徴とする。
【００１１】
また、前記シート基材は、前記振動板に対向する領域には前記高分子素材が付与されていないことを特徴とする。
【００１２】
上記のように構成された本発明においては、メッセージを伝達する場合、まず、シート基材に設けられた情報記入領域に、水分によって消去可能なインクを用いて所望のメッセージを記入するとともに、音声情報記録／再生手段に音声メッセージを記録する。この際、情報記入領域には高分子素材が付与されているため、情報記入領域に付着したインクがシート基材を浸透して音声情報記録／再生手段に付着してしまうことはない。また、インクがシート基材に浸透することがなく、その後に、情報記入領域に記入された情報を書き換える際に、より確実に情報を消去することができる。情報記入領域メッセージが記入されるとともに音声情報記録／再生手段に音声メッセージが記録された音声メッセージ伝達シートがメッセージの伝達先に渡され、メッセージの伝達先において、情報記入領域に記入されたメッセージを確認するとともに、音声情報記録／再生手段に記録された音声メッセージを再生した後、情報記入領域に記入されたメッセージを書き換える場合、水分を含んだ布等を用いて情報記入領域上を擦ると、情報記入領域に記入されたメッセージが消去され、その後、情報記入領域に所望のメッセージを記入することができる。
【００１３】
このように、シート基材に設けられた情報記入領域に高分子素材が付与されているので、この情報記入領域に、水分によって消去可能なインクを用いて情報を記入すれば、その後、水分を含んだ布等を用いて情報記入領域上を擦ることにより、情報記入領域に記入された情報を消去して新たな情報を記入することができる。
【発明の効果】
【００１４】
以上説明したように本発明においては、シート基材に設けられた情報記入領域に高分子素材が付与された構成としたため、この情報記入領域に、水分によって消去可能なインクを用いて情報を記入すれば、その後、水分を含んだ布等を用いて情報記入領域上を擦ることにより、情報記入領域に記入された情報を消去して新たな情報を記入することができることになり、それにより、内部の回路基板等の部材を破壊することなく、シート基材に設けられた情報記入領域における情報の書き換えを繰り返し行うことができる。また、このように水分によって情報を消去しても、高分子素材により水分が回路基板に浸透することがなく、それにより、回路基板が故障してしまうことを防止することができる。
【００１５】
また、音声情報が出力されるスピーカに対向する複数の微細な開口穴が形成された領域に高分子素材が付与されていないものにおいては、スピーカから出力される音声情報が高分子素材によって妨害され、音質が低下してしまうことを回避することができる。
【００１６】
また、スピーカの周囲に設けられた振動板に対向する領域に高分子素材が付与されていないものにおいては、スピーカから出力された音声情報による振動が高分子素材によって変化して音質が低下してしまうことを回避することができる。
【発明を実施するための最良の形態】
【００１７】
以下に、本発明の実施の形態について図面を参照して説明する。
【００１８】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００１９】
本形態は図１及び図２に示すように、音声情報の記録及び再生が可能なシート状の音声情報記録／再生部３０が、紙基材等の柔軟性を有し、かつ薄型の基材からなる２枚の支持シート２０ａ，２０ｂに挟まれ、また、音声情報記録／再生部３０が挟まれた支持シート２０ａ，２０ｂが、その外形が支持シート２０ａ，２０ｂと同一形状であって、紙基材等の柔軟性を有し、かつ薄型の基材からなる２枚のシート基材である表面シート１０ａ，１０ｂに挟まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに接着されている。この粘着加工は、支持シート２０ａ，２０ｂの表裏に両面テープを貼付することや、ホットメルト型接着剤を塗布すること等によって行うことが考えられる。
【００２０】
また、音声情報記録／再生部３０は、ピエゾ素子４１、振動板４２及び後述するフィルムシートからなりシート状に構成されて音声情報を入出力するための音声情報入出力部４０と、音声情報入出力部４０を介して入力された音声情報が記録される記憶領域であるメモリ領域を具備する薄型のＩＣチップ３４やコンデンサ、抵抗等の回路素子、並びにスイッチ３３ａ，３３ｂが搭載された音声基板３２と、音声基板３２に接続され、音声基板３２に電源を供給するための柔軟性を有してなるペーパー電池３１とから構成されており、さらに、音声基板３２には、外部からＩＣチップ３４に音声情報を入力したり、ＩＣチップ３４に記録された音声情報を外部に出力したりするための接続端子３５が設けられている。これにより、音声情報記録／再生部３０は、シート状に構成されている。ここで、音声基板３２においては、柔軟性を有し、かつ薄型の繊維強化プラスチック（ＦＲＰ）やポリエチレンテレフタレート（ＰＥＴ）、ポリイミドあるいはリードフレーム等からなる基板に、異方性導電性接着剤（ＡＣＰ）や異方性導電性フィルム（ＡＣＦ）あるいはワイヤボンディング等によってＩＣチップ３４が接合されている。また、ＩＣチップ３４は、音声情報入出力部４０を介して入力された音声情報をメモリ領域に記録し、また、メモリ領域に記録された音声情報を音声情報入出力部４０を介して出力する制御を行う。また、スイッチ３３ａは、ＩＣチップ３４のメモリ領域に記録された音声情報を音声情報入出力部４０を介して出力する際に操作されるものであり、また、スイッチ３３ｂは、音声情報入出力部４０を介して入力された音声情報をＩＣチップ３４のメモリ領域に記録する際に操作されるものである。
【００２１】
また、支持シート２０ａにおいては、音声情報記録／再生部３０と積層された場合に、ペーパー電池３１、スイッチ３３ａ，３３ｂ、ＩＣチップ３４及び音声情報入出力部４０と対向する領域に穴２１ａ，２２，２３，２４ａがそれぞれ形成されており、また、支持シート２０ｂにおいては、音声情報記録／再生部３０と積層された場合に、ペーパー電池３１及び音声情報入出力部４０と対向する領域に穴２１ｂ，２４ｂがそれぞれ形成されている。
【００２２】
このように、支持シート２０ａの、ペーパー電池３１、スイッチ３３ａ，３３ｂ、ＩＣチップ３４及び音声情報入出力部４０と対向する領域に穴２１ａ，２２，２３，２４ａがそれぞれ形成され、また、支持シート２０ｂの、ペーパー電池３１及び音声情報入出力部４０と対向する領域に穴２１ｂ，２４ｂがそれぞれ形成されることにより、ペーパー電池３１、スイッチ３３ａ，３３ｂ、ＩＣチップ３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。
【００２３】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２４】
図３（ａ）に示すように、支持シート２０ａのペーパー電池３１と対向する領域に形成された穴２１ａはペーパー電池３１よりも小さく、また、スイッチ３３ａ，３３ｂと対向する領域に形成された穴２２はスイッチ３３ａ，３３ｂを含むように、また、ＩＣチップ３４と対向する領域に形成された穴２３はＩＣチップ３４よりも大きく、また、音声情報入出力部４０と対向する領域に形成された穴２４ａは音声情報入出力部４０よりも大きくなっている。
【００２５】
また、図３（ｂ）に示すように、支持シート２０ｂのペーパー電池３１と対向する領域に形成された穴２１ｂはペーパー電池３１よりも小さく、また、音声情報入出力部４０と対向する領域に形成された穴２４ｂは音声情報入出力部４０よりも小さくなっている。
【００２６】
これにより、音声情報記録／再生部３０は、２枚の支持シート２０ａ，２０ｂによって一部のみが表裏から挟み込まれるように積層され、支持シート２０ａ，２０ｂの表裏に施された粘着加工によって固定されている。
【００２７】
また、２枚の表面シート１０ａ，１０ｂのうち、支持シート２０ａの穴２２，２３を介してスイッチ３３ａ，３３ｂ及びＩＣチップ３４と対向する側の表面シート１０ａにおいては、この音声メッセージ伝達シート１を郵送する場合に宛先情報等が印刷される情報表示領域２と、伝達したいメッセージを記入するための情報記入領域５とが設けられている。また、支持シート２０ａの穴２２を介してスイッチ３３ａと対向する領域にはスイッチ３３ａを操作するための再生ボタン３ａを示す印刷が施され、また、支持シート２０ａの穴２２を介してスイッチ３３ｂと対向する領域にはスイッチ３３ｂを操作するための録音ボタン３ｂを示す印刷が施され、また、支持シート２０ａの穴２４ａを介して音声情報入出力部４０と対向する領域には、音声情報入出力部４０を介して音声を入力したり音声情報入出力部４０から出力された音声を外部に出力したりするための微細な開口穴が羅列されてなる音声入出力領域４が形成されている。このように微細な開口穴が羅列されてなる音声入出力領域４が形成されているため、音声情報入出力部４０が表裏を表面シート１０ａ，１０ｂで覆われた状態であっても、音声情報入出力部４０から出力される音量の低下を補うことができる。なお、音声入出力領域４においては、例えば、レーザ加工によって、０．１ｍｍ径の穴が縦横１．５ｍｍ間隔で形成されている。そのため、抜き加工や針等によって穴を形成する場合と比べてバリが発生せず、その後そのバリによって穴が塞がれてしまうことはない。また、図１においては、情報表示領域２が音声入出力領域４上に設けられていないが、実際は、表面シート１０ａの全面に再生ボタン３ａ及び録音ボタン３ｂを含めて情報が印刷されることになるため、情報表示領域２が音声入出力領域４上に設けられることも考えられる。また、再生ボタン３ａ及び録音ボタン３ｂにおいては、印刷によって表面シート１０ａ上に設けておかず、表面シート１０ａに情報が印刷された後に、スイッチ３３ａ，３３ｂに対向する領域にそれぞれシールを貼付することによって設けることも考えられる。また、表面シート１０ａの情報記入領域５上には、高分子素材であるポリエチレン樹脂からなる樹脂層６が形成されている。
【００２８】
以下に、音声情報入出力部４０の構成について詳細に説明する。
【００２９】
図４は、図１に示した音声情報入出力部４０の構成を説明するための図であり、図１に示した音声メッセージ伝達シート１の音声情報入出力部４０周辺の断面図である。
【００３０】
本形態における音声情報入出力部４０は図４に示すように、柔軟性を有し、ＩＣチップ３４に記録された音声情報が出力されるスピーカであるピエゾ素子４１と、柔軟性を有し、ピエゾ素子４１の一方の面に貼付されたフィルムシート４３と、フィルムシート４３に貼付されてピエゾ素子４１の周囲に設けられ、柔軟性を有し、ピエゾ素子４１の振動を増幅させるためのスチレンペーパー等からなる振動板４２とから構成されている。ここで、フィルムシート４３の径は、ピエゾ素子４１の径よりも大きく構成されており、それにより、ピエゾ素子４１をフィルムシート４３に貼付すると、フィルムシート４３のピエゾ素子４１が貼付された面においては、ピエゾ素子４１が貼付されずに露出した領域がピエゾ素子４１周辺に残る。また、振動板４２は、ピエゾ素子４１の径よりも大きく、かつフィルムシート４３の径よりも小さな径の穴を有する構成となっており、それにより、フィルムシート４３のピエゾ素子４１が貼付された面に対して、この穴にピエゾ素子４１が入り込むように振動板４２をフィルムシート４３のみに貼付することができる。そして、この振動板４２は、フィルムシート４３が貼付された面のうちフィルムシート４３が貼付されていない領域のみにて、支持シート２０ｂの両面に施された粘着加工によって支持シート２０ｂと接着されている。これにより、音声情報入出力部４０が設けられた領域の厚さが厚くなってしまうことがなくなるとともに、音声情報入出力部４０が表面シート１０ａ，１０ｂに接着されずに固定されることになるため、ピエゾ素子４１及び振動板４２の振動が妨げられることがなくなる。
【００３１】
なお、樹脂層６は、表面シート１０の情報表示領域２を含む全面にプレ印刷が施された後に情報記入領域５のみに形成することや、表面シート１０のうち、情報表示領域２等の情報記入領域５とならない領域にプレ印刷を施しておき、その後、情報記入領域５に形成すること等が考えられる。
【００３２】
また、表面シート１０の全面に樹脂層６を形成することも考えられるが、本形態にように、複数の微細な開口穴からなる音声情報入出力領域４に樹脂層６を形成しないことにより、音声情報入出力領域４から出力される音声情報が樹脂層６によって妨害され、音質が低下してしまうことを回避することができる。また、本形態のように、振動板４２に対向する領域に樹脂層６を形成しないことにより、ピエゾ素子４１から出力された音声情報による振動が樹脂層６によって変化して音質が低下してしまうことを回避することができる。
【００３３】
また、樹脂層６としては、ポリスチレン樹脂からなるものに限らず、耐衝撃性ポリスチレン樹脂、スチレン−アクリロニトリル共重合体樹脂、スチレン−アクリロニトリル−ブタジエン共重合体樹脂、ポリプロピレン樹脂、高密度ポリエチレン樹脂、ポリエチレンテレフタレート樹脂、ポリブチレンテレフタレート樹脂、ポリカーボネート樹脂、ポリ塩化ビニール樹脂あるいは、それらの変性樹脂等や、その他樹脂等といった高分子素材を適時用いることができる。また、樹脂層６の表面シート１０ａへの形成方法は、上記高分子素材からなるフィルムを表面シート１０ａ上に積層することや、上記高分子素材を表面シート１０ａ上に塗布すること等が考えられ、それにより、表面シート１０ａに高分子素材を付与することになる。なお、高分子素材からなるフィルムを積層する場合は、そのフィルムを表面シート１０ａに貼付するために粘着剤等を用いてもよい。
【００３４】
以下に、上記のように構成された音声メッセージ伝達シート１の使用方法について説明する。
【００３５】
まず、音声情報の記録／再生方法について説明する。
【００３６】
音声メッセージ伝達シート１に音声情報を記録する場合は、表面シート１０ａに印刷された録音ボタン３ｂを押下しながら、伝達したい音声メッセージを音声入出力領域４を介して入力すると、入力された音声メッセージが音声情報入出力部４０を介してＩＣチップ３４に記録される。
【００３７】
その後、表面シート１０ａに印刷された再生ボタン３ａを押下すると、ＩＣチップ３４に記録された音声メッセージが音声情報入出力部４０から音声入出力領域４を介して出力される。
【００３８】
また、その後、再度、表面シート１０ａに印刷された録音ボタン３ｂを押下しながら、伝達したい音声メッセージを音声入出力領域４を介して入力すると、入力された音声メッセージが音声情報入出力部４０を介してＩＣチップ３４に記録され、ＩＣチップ３４に記録された音声メッセージが書き換えられることになる。
【００３９】
次に、情報記入領域５を用いたメッセージの伝達方法について説明する。
【００４０】
情報記入領域５を用いてメッセージを伝達する場合は、例えば、アルコールを媒体とするＷＡＴＥＲ  ＣＬＥＡＲペン等の、水分によって消去可能なインクを用いたペンによって、伝達したい情報を情報記入領域５に記入する。この際、情報記入領域５には、樹脂層６が形成されているため、情報記入領域５に付着したインクが表面シート１０ａや支持シート２０ａを浸透して音声情報記録／再生部３０に付着してしまうことはない。
【００４１】
メッセージの伝達先においては、音声メッセージ伝達シート１を受け取った後、情報記入領域５に記入されたメッセージを確認した後、情報記入領域５に記入されたメッセージを書き換える場合、水分を含んだ布等を用いて情報記入領域５上を擦ると、情報記入領域５に記入されたメッセージが消去され、その後、情報記入領域５に所望のメッセージを記入することができる。また、この際も、水分等が表面シート１０ａや支持シート２０ａに浸透して音声情報記録／再生部３０に付着してしまうことはない。
【００４２】
このように、音声情報記録／再生部３０に対する音声メッセージの書き換えが可能であるとともに、情報記入領域５に対して、音声情報記録／再生部３０に影響を与えることなくメッセージの書き換えを行うことができるので、音声メッセージ及び記入メッセージを用いたメッセージのやりとりを繰り返し行うことができる。また、本形態の音声メッセージ伝達シート１のような薄型の音声伝達手段においては、振動板やスピーカの特性上、音の伝達速度が通常の速度よりも遅くなってしまうため、記録された音声メッセージが聞きにくくなってしまいがちであるが、本形態のように、記入によるメッセージを音声によるメッセージとともに伝達することにより、音声だけでは聞きにくい内容を補助し、音声によるメッセージと記入によるメッセージとで感情と内容を確実に伝達することができ、さらに、音声によるメッセージと記入によるメッセージを何度でも書き換えた場合においても、内部の回路基板等の部材が破壊されることはなく、利便性を向上させることができる。
【００４３】
なお、本発明にて用いられる高分子素材としては、インクが浸透しにくい素材であればその種類を問わずに適用することができる。本形態にて示したように樹脂材を用いれば、ある程度の膜厚を得ることができ、それにより、インクの非浸透性を向上させることができるが、樹脂材の他、インク浸透性の低い顔料ならいかなるものも適用することができる。
【００４４】
また、部分塗布や部分貼付をすることはできないが、表面シートとなる基材として、事前に顔料や樹脂素材が付与されている合成紙、アート紙、コート紙、マットコート紙を使用してもよい。この場合、最初からインク浸透性の低い高分子素材が付与されているため、ある程度はインクの浸透を防ぐことができる。
【００４５】
（他の実施の形態）
図５は、本発明の音声メッセージ伝達シートの他の実施の形態を示す図である。
【００４６】
本発明は、例えば、図５に示したようなクリスマスカードとして用いることができる。
【００４７】
まず、子供がクリスマスプレゼントとして欲しいものを情報記入領域１０５に記入するとともに、録音ボタン１０３ｂを押下しながら、サンタクロースへの音声メッセージを音声入出力領域１０４を介して入力しておく。音声入出力領域１０４を介して入力された音声メッセージは、音声メッセージ伝達シート１０１内の音声情報記録／再生部（不図示）に記録される。
【００４８】
その後、親が情報記入領域１０５に記入されたプレゼントを購入し、クリスマスイブの夜、子供が寝静まった後にそのプレゼントを子供の枕もとに置くとともに、再生ボタン１０３ａを押下して音声情報記録／再生部に記録されたメッセージを聞き、その後、録音ボタン１０３ｂを押下しながら、そのメッセージに対するサンタクロースからの返答メッセージとして音声メッセージを音声入出力領域１０４を介して入力しておく。音声入出力領域１０４を介して入力された音声メッセージは、音声メッセージ伝達シート１０１内の音声情報記録／再生部に記録される。また、情報記入領域１０５に記入された情報を消去し、サンタクロースから子供への伝言を記入しておく。
【００４９】
翌朝、子供が起きると、情報記入領域１０５に記入されたサンタクロースからの伝言を見ることができるとともに、再生ボタン１０３ａを押下することにより、音声情報記録／再生部に記録されたサンタクロースからのメッセージを聞くことができる。
【図面の簡単な説明】
【００５０】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示した音声情報入出力部の構成を説明するための図である。
【図５】本発明の音声メッセージ伝達シートの他の実施の形態を示す図である。
【符号の説明】
【００５１】
１，１０１    音声メッセージ伝達シート
２    情報表示領域
３ａ，１０３ａ    再生ボタン
３ｂ，１０３ｂ    録音ボタン
４，１４０    音声入出力領域
５，１０５    情報記入領域
６，１０６    樹脂層
１０ａ，１０ｂ    表面シート
２０ａ，２０ｂ    支持シート
２１ａ，２１ｂ，２２，２３，２４ａ，２４ｂ    穴
３０    音声情報記録／再生部
３１    ペーパー電池
３２    音声基板
３３ａ，３３ｂ    スイッチ
３４    ＩＣチップ
３５    接続端子
４０    音声情報入出力部
４１    ピエゾ素子
４２    振動板
４３    フィルムシート
【図１】
2006130681.tif 000003
【図２】
2006130681.tif 000004
【図３】
2006130681.tif 000005
【図４】
2006130681.tif 000006
【図５】
2006130681.tif 000007